(57)【要約】【課題】相手側コネクタと嵌合するとき、グランドプレートがコネクタから後方に抜け出る支障が生じることがなく、しかも、構造が簡素で、コストが安価なコネクタを提供する。【解決手段】各グランドコンタクト６４ａは、グランドプレート６４の連結部６４ｂから延設されている。シェル６５は、相手側コネクタとの嵌合側（図の左側）において、外側（図の左方）からハウジング６２の嵌合部６２ａ内に向けて折り曲げられた曲げ部６５ａを有する。更に、曲げ部の先端部には、保護部６５ｂが設けられている。各グランドコンタクトの先端部６４ａ１は、保護部内に入り込む。先端部とシェルの保護部とは、重なっている。したがって、コネクタ６１が相手側コネクタと嵌合するとき、各グランドコンタクトの先端部は相手側コネクタの各グランドコンタクトにより下方に押されるが、グランドプレートがコネクタから後方（図の右方）に抜け出ることが防止される。【選択図】  図２
2007157534.tif 000002
【特許請求の範囲】
【請求項１】
複数のコンタクトと、前記複数のコンタクトを保持するハウジングと、前記複数のコンタクト及び前記ハウジングを被覆するシェルとを備えるコネクタにおいて、
前記ハウジングは、嵌合部を有し、
前記複数のコンタクトは、前記嵌合部内の一方の列に配設されている複数の信号コンタクトと、前記複数の信号コンタクトとそれぞれ対向配置されている複数のグランドコンタクトとから構成され、
前記シェルは、相手側コネクタとの嵌合側において、外側から前記嵌合部内に向けて折り曲げられている曲げ部を有し、前記曲げ部は保護部を有し、
前記各グランドコンタクトの先端部が前記保護部に入り込むことを特徴とするコネクタ。
【請求項２】
前記コネクタはグランドプレートを有し、前記各グランドコンタクトはグランドプレートの連結部から延設されていることを特徴とする請求項１記載のコネクタ。
【発明の詳細な説明】
【技術分野】
【０００１】
本発明は、高速伝送に対応したコネクタに関し、詳しくは、プリント配線基板に接続するためのソケットコネクタと、フレキシブルプリント配線基板（ＦＰＣ）又はフレキシブルフラットケーブル（ＦＦＣ）を前記ソケットコネクタに接続するためのプラグコネクタと、これらのコネクタを備えた高速伝送用コネクタに関する。
【背景技術】
【０００２】
以下に、第１の従来のコネクタについて説明する（例えば、特許文献１参照）。
【０００３】
図４は、プラグコネクタを示す斜視図である。
【０００４】
図４を参照すると、プラグコネクタ１０は、図示しない基板側コネクタであるソケットコネクタと嵌合方向である第１の方向に沿って嵌合するためのソケットコネクタ嵌合部５、及びＦＰＣ又はＦＦＣと同じく第１の方向に沿って嵌合するためのＦＰＣ嵌合部４の双方をこの第１の方向である嵌合方向両端に持ち合わせている。ここで、以後説明の便宜上、第１の方向において、プラグコネクタ１０のＦＰＣ嵌合部４側を前側、ソケットコネクタ嵌合部５側を後側と呼ぶ。
【０００５】
プラグコネクタ１０は、絶縁材料からなるインシュレータ１と、インシュレータ１の周囲を覆うシェル２と、インシュレータ１中に、第１の方向とは直交する第２の方向である幅方向に並んで差し込まれる複数のプラグコンタクト（以下、第１のプラグコンタクトと呼ぶ。）３と、インシュレータ１中に第１のプラグコンタクト３とは接点を持たないように差し込まれるグランドプレート（図示せず）とを備えている。
【０００６】
図５は、ソケットコネクタの外観図である。図６は、図５のソケットコネクタの一部切り欠き部分断面図である。図５及び図６を参照すると、ソケットコネクタ３０は、前端に先に説明したプラグコネクタに嵌合方向である第１の方向に嵌合するためのプラグコネクタ嵌合部３２を備え、後端に基板に半田付けするための基板接続部３１を備えている。ここで、以後説明の便宜上、第１の方向において、ソケットコネクタ３０のプラグコネクタ嵌合部３２側を前側、基板に接続するための基板接続部３１側を後側と呼ぶ。
【０００７】
ソケットコネクタ３０は、断面横Ｌ字型のインシュレータ３３と、インシュレータ３３に植設されたシグナルソケットコンタクト（以下、第１のソケットコンタクトと呼ぶ。）３５と、グランドプレート３６と、インシュレータ周囲に設けられ、ソケットコネクタの外郭をなすシェル３４とを備えている。
【０００８】
インシュレータ３３は、天井板３３ａと、ソケットコネクタ３０の後端側に天井板３３ａと一体に設けられた底板３３ｂとを備えている。天井板３３ａと底板３３ｂとの間に、シグナルコンタクト３５が植設されている。
【０００９】
シェル３４は、箱型で、前端に開口３４ａを備え、インシュレータ３３を覆うように設けられた上板３４ｅと、第１の方向に直交する第２の方向である幅方向の両端にＵ字をなすように突出した基板用固定部３４ｄと、底板３４ｂとを備えている。基板用固定部３４ｄは、ＰＣＢに対する半田固定部をなし、シェル３４は、電気的にはグランド機能を有する。
【００１０】
シェル３４において、底板３４ｂは、前端部が折り返されて２重になった折り返し部３４ｉと、後に詳しく説明するグランドコンタクト３６の接触部３６ｆに対応して切り欠かれた切り欠き部３４ｇとを備えている。折り返し部３４ｉは、ソケットコネクタの相手側コネクタであるプラグコネクタ嵌合部を誘い、且つ、この部分での強度が高められている。シェル３４の切り欠き部３４ｇは、後に述べるグランドプレート３６の接触部３５ｆ先端の保護をしている。
【００１１】
図６に最も良く示されるように、シグナルコンタクトである第１のソケットコンタクト３５は、バネ弾性を備え、また、インピーダンスマッチングに対応した細長い板形状を有する。第１のソケットコンタクト３５は、一端がプラグコネクタ嵌合部に収容され相手側コンタクトに接触するためにくの字状に屈曲して形成された接触部３５ｃと、接触部３５ｃからコネクタの後方に延在するとともにインシュレータ３３に固定されて支持される支持部３５ｂと、支持部３５ｂからソケットコネクタ３０の後方外部に第１の方向に沿って延在して折曲して、第１及び第２の方向に直交する第３の方向である下方に延び、さらに水平方向である第１の方向に折曲って水平に延在してプリント配線基板に半田付するための半田付端子部３５ａを形成している。この様に、シグナルコンタクト３５は、板状にシンプルな構造を有し、したがって、容易にインピーダンスマッチングさせることができる。
【００１２】
図７は、図５及び図６のグランドプレート３６を示す斜視図である。図７を参照すると、グランドプレート３６は、導電材料の一枚板を打ち抜き、プレス加工した物からなり、ソケットコネクタ３０の幅方向である第２の方向に延在する連結部３６ｃと、連結部３６ｃから折れ曲がって後方に延在する半田付端子部３６ａと、半田付端子部３６ａと同じ位置から上方に延在して前方に屈曲するインシュレータに固定するための固定部３６ｂと、これら半田付端子部３６ａ及び固定部３６ｂの対間に配置されたバネ弾性を備えたコンタクト基部３６ｅと、コンタクト基部３６ｅから前方に並んで延在する一対の接触部（第２のソケットコンタクト）３６ｆとを有している。
【００１３】
図５及び図６を再び参照して、シグナルコンタクトである第１のソケットコンタクト３５が一対ずつ並んで、具体的には７対がインシュレータ３３に支持されている。即ち、このソケットコネクタ３０の第１のソケットコンタクト３５は、７ペアの差動信号伝送用に用いられる。
【００１４】
ソケットコネクタ３０のプラグコネクタ嵌合部３２内において、第１のソケットコンタクト３５の接触部３５ｃは、天井面側に設けられており、これに第３の方向に対向して底部側には、グランドプレート３６の接触部からなる第２のソケットコンタクト３６ｆが設けられている。第２のソケットコンタクト３６ｆは、シェル３４の切欠部３４ｇ内に収容されている。これらの第１のソケットコンタクト３５の接触部３５ｃ及び第２のソケットコンタクト３６ｆは、プラグコネクタが嵌合されたときに、プラグコネクタの嵌合部を上下から挟み込むように設けられている。
【００１５】
また、ソケットコネクタ３０の後方に突出したシグナル用の第１のソケットコンタクト３５の半田付端子部３５ａ，３５ａを第２の方向（ソケットコネクタ３０の幅方向）に挟み込む位置となるように、グランドプレート３６の半田付端子部３６ａが配置されている。なお、グランドプレート３６から半田付端子部３６ａをできるだけ多く出すことで、グランドコンディションを良くすることができる。
【００１６】
また、グランドプレート３６が、グランド嵌合接触部として、多数の接触部を有し、また、多数の半田付端子部３６ａを１個の部品としての１枚のプレートに形成されているため、グランドコンディションが良く、グランドが正確に、且つ、完全なものになる。また、そのグランドプレート３６の接触部３６ｆは、シェル３４に多点で接触するので、更に、グランドコンディションを良好に保つことができる。
【００１７】
また、シェル３４のプラグコネクタ１０との嵌合端側の底部には、折り返し部３４ｉが形成されているから、相手側コネクタが誘い易く、また、底部には、切欠部３４ｇが設けられているので、グランドプレート３６に接触部先端が座屈その他の変形を防止することができる。また、シェル３４に、折り返し部３４ｉのあることで、強度アップにもなり、この部分のインシュレータ３３の存在が必要なく、製品の高さを低減することができる。
【００１８】
次に、第２の従来のコネクタの要点について説明する。なお、このコネクタと類似するグランド構造を備えるコネクタは、本出願前に頒布された刊行物に記載されている（例えば、特許文献２参照。）。
【００１９】
図８は、コネクタ４１のシェル４５の曲げ部４５ａと各グランドコンタクト４４ａが正常な状態に位置するときの断面図である。
【００２０】
コネクタ４１は、ハウジング４２と、ハウジング４２に一定のピッチで１列に保持される多数の信号コンタクト４３と、ハウジング４２に保持されるグランドプレート４４と、各信号コンタクト４３とそれぞれ対向するようにハウジング４２に保持される多数のグランドコンタクト４４ａと、ハウジング４２、各信号コンタクト４３及び各グランドコンタクト４４ａを被覆するシェル４５とから構成される。各グランドコンタクト（接触ばね）４４ａは、グランドプレート４４の連結部４４ｂから延設されている。
【００２１】
シェル４５は、相手側コネクタとの嵌合側（図８の左側）において、外側（図８の左方）からハウジング４２の嵌合部４２ａ内に向けて折り曲げられた曲げ部４５ａを有する。更に、曲げ部４５ａの先端部には、切欠部４５ｂが設けられている。各グランドコンタクト４４ａの先端部４４ａ１は、切欠部４５ｂ内に入り込む。したがって、コネクタ４１が相手側コネクタと嵌合するとき、各グランドコンタクト４４ａの先端部４４ａ１が相手側コネクタの各グランドコンタクトによりそれぞれ下方に押されるが、グランドプレート４４がコネクタ４１から後方に抜け出る支障は生じない。
【００２２】
図９は、コネクタ４１のシェル４５の曲げ部４５ａが異常な状態に位置するときの断面図である。
【００２３】
シェル４５の曲げ部４５ａが、図８における正常な位置よりも外側（下方）に変位している。この結果、各グランドコンタクト４４ａの先端部４４ａ１をコネクタ４１の正面側から矢印方向に見ることができる。したがって、コネクタ４１が相手側コネクタと嵌合するとき、各グランドコンタクト４４ａの先端部４４ａ１が相手側コネクタの各グランドコンタクトにより後方（図９の右方）に押されることによって、グランドプレート４４がコネクタ４１から後方に抜け出る支障が生じる。
【００２４】
図１０は、コネクタ４１の各グランドコンタクト４４ａが異常な状態に位置するときの断面図である。
【００２５】
各グランドコンタクト４４ａが、図８における正常な位置よりも内側（上方）に変位している。この結果、各グランドコンタクト４４ａの先端部４４ａ１をコネクタ４１の正面側から矢印方向に見ることができる。したがって、コネクタ４１が相手側コネクタと嵌合するとき、各グランドコンタクト４４ａの先端部４４ａ１が相手側コネクタの各グランドコンタクトにより後方（図１０の右方）に押されることによって、グランドプレート４４がコネクタ４１から後方に抜け出る支障が生じる。
【００２６】
【特許文献１】特開平１１−２８３７１０号公報
【特許文献２】特開２００３−７４０８号公報
【発明の開示】
【発明が解決しようとする課題】
【００２７】
前記第２の従来のコネクタでは、図９に示されるシェル４５の曲げ部４５ａが図８における正常な位置よりも外側（下方）に変位している場合、又は図１０に示される各グランドコンタクト４４ａが図８における正常な位置よりも内側（上方）に変位している場合、コネクタ４１が相手側コネクタと嵌合するとき、グランドプレート４４がコネクタ４１から後方に抜け出る支障が生じる。
【００２８】
そこで、本発明は、前記第２の従来のコネクタの欠点を改良して、コネクタが相手側コネクタと嵌合するとき、グランドプレートがコネクタから後方に抜け出る支障が生じることがなく、しかも、構造が簡素で、コストが安価なコネクタを提供しようとするものである。
【課題を解決するための手段】
【００２９】
本発明は、前記課題を解決するため、次の手段を採用する。
【００３０】
１．複数のコンタクトと、前記複数のコンタクトを保持するハウジングと、前記複数のコンタクト及び前記ハウジングを被覆するシェルとを備えるコネクタにおいて、前記ハウジングは、嵌合部を有し、前記複数のコンタクトは、前記嵌合部内の一方の列に配設されている複数の信号コンタクトと、前記複数の信号コンタクトとそれぞれ対向配置されている複数のグランドコンタクトとから構成され、前記シェルは、相手側コネクタとの嵌合側において、外側から前記嵌合部内に向けて折り曲げられている曲げ部を有し、前記曲げ部は保護部を有し、前記各グランドコンタクトの先端部が前記保護部に入り込むコネクタ。
【００３１】
２．前記コネクタはグランドプレートを有し、前記各グランドコンタクトはグランドプレートの連結部から延設されている前記１記載のコネクタ。
【発明の効果】
【００３２】
明細書の説明から明らかなように、本発明は、次の効果を奏する。
【００３３】
１．シェルは、相手側コネクタとの嵌合側において、外側から嵌合部内に向けて折り曲げられている曲げ部を有し、曲げ部は保護部を有し、各グランドコンタクトの先端部が保護部に入り込むように構成することによって、コネクタが相手側コネクタと嵌合するとき、グランドプレートがコネクタから後方に抜け出る支障の発生を防止することができる。
【００３４】
２．シェルと各グランドコンタクト及びグランドプレートとが一体化するので、シェルの無用な変形が防止され、また、コネクタ全体の強度が向上する。
【００３５】
３．シェルに外力が加わった際、シェルの保護部と各グランドコンタクトの先端部とが当接することによって、シェルが外側に変形して広がることを防止することができる。
【発明を実施するための最良の形態】
【００３６】
本発明の一実施例について説明する。
【実施例１】
【００３７】
本発明の実施例１のコネクタの基本的な構成は、図５に示されるソケットコネクタであり、相違する点について図１〜図３を参照して説明する。
【００３８】
図１（Ａ）〜（Ｄ）は、コネクタ６１の四面図であり、（Ａ）は平面図、（Ｂ）は正面図、（Ｃ）は下面図、（Ｄ）は右側面図を、それぞれ示す。
【００３９】
コネクタ６１は、ハウジング６２と、ハウジング６２に一定のピッチで１列に保持される多数の信号コンタクト６３と、ハウジング６２に保持されるグランドプレート６４と、各信号コンタクト６３とそれぞれ対向するようにハウジング６２に保持される多数のグランドコンタクト６４ａと、ハウジング６２と各信号コンタクト６３及び各グランドコンタクト６４ａを被覆するシェル６５とから構成される。
【００４０】
拡大断面図の図２に示されるように、各グランドコンタクト（接触ばね）６４ａは、グランドプレート６４の連結部６４ｂから延設されている。シェル６５は、相手側コネクタとの嵌合側（図２の左側）において、外側（図２の左方）からハウジング６２の嵌合部６２ａ内に向けて折り曲げられた曲げ部６５ａを有する。更に、曲げ部６５ａの先端部には、保護部６５ｂが設けられている。各グランドコンタクト６４ａの先端部６４ａ１は、保護部６５ｂ内に入り込む。
【００４１】
図３は、図１（Ｃ）におけるＡ部の拡大図であり、各グランドコンタクト６４ａの先端部６４ａ１とシェル６５の保護部６５ｂとは、重なっている。したがって、コネクタ６１が相手側コネクタと嵌合するとき、各グランドコンタクト６４ａの先端部６４ａ１は相手側コネクタの各グランドコンタクトにより下方に押されるが、グランドプレート６４がコネクタ６１から後方（図２の右方）に抜け出ることが防止される。
【図面の簡単な説明】
【００４２】
【図１】本発明の実施例１のコネクタの四面図であり、（Ａ）は平面図、（Ｂ）は正面図、（Ｃ）は下面図、（Ｄ）は右側面図を、それぞれ示す。
【図２】同コネクタの断面図である。
【図３】図１（Ｃ）におけるＡ部の拡大図である。
【図４】第１の従来のコネクタにおけるプラグコネクタを示す斜視図である。
【図５】従来のソケットコネクタの外観図である。
【図６】図５のソケットコネクタの一部切り欠き部分断面図である。
【図７】図５及び図６のグランドプレートを示す斜視図である。
【図８】第２の従来のコネクタの正常な状態の断面図である。
【図９】同コネクタのシェルの曲げ部が異常な状態に位置するときの断面図である。
【図１０】同コネクタの各グランドコンタクトが異常な状態に位置するときの断面図である。
【符号の説明】
【００４３】
６１  コネクタ
６２  ハウジング
６２ａ  嵌合部
６３  信号コンタクト
６４  グランドプレート
６４ａ  グランドコンタクト
６４ａ１  先端部
６４ｂ  連結部
６５  シェル
６５ａ  曲げ部
６５ｂ  保護部
【図１】
2007157534.tif 000003
【図２】
2007157534.tif 000004
【図３】
2007157534.tif 000005
【図４】
2007157534.tif 000006
【図５】
2007157534.tif 000007
【図６】
2007157534.tif 000008
【図７】
2007157534.tif 000009
【図８】
2007157534.tif 000010
【図９】
2007157534.tif 000011
【図１０】
2007157534.tif 000012
【手続補正書】
【提出日】平成18年4月26日(2006.4.26)
【手続補正１】
【補正対象書類名】特許請求の範囲
【補正対象項目名】全文
【補正方法】変更
【補正の内容】
【特許請求の範囲】
【請求項１】
複数のコンタクトと、前記複数のコンタクトを保持するハウジングと、前記複数のコンタクト及び前記ハウジングを被覆するシェルとを備えるコネクタにおいて、
前記ハウジングは、嵌合部を有し、
前記複数のコンタクトは、前記嵌合部内の一方の列に配設されている複数の信号コンタクトと、前記複数の信号コンタクトとそれぞれ対向配置されている複数のグランドコンタクトとから構成され、
前記シェルは、相手側コネクタとの嵌合側において、外側から前記嵌合部内に向けて折り曲げられている曲げ部を有し、前記曲げ部から前記嵌合部内で前記嵌合部の奥側に向けて延設されている部分に保護部が形成され、
前記グランドコンタクトの先端部が前記保護部に入り込むことを特徴とするコネクタ。
【請求項２】
前記保護部は、前記嵌合部内から前記外側に向けて、かつ、前記嵌合部の奥側から前記相手側コネクタに向けて傾斜するように構成されていることを特徴とする請求項１記載のコネクタ。
【手続補正２】
【補正対象書類名】明細書
【補正対象項目名】０００８
【補正方法】変更
【補正の内容】
【０００８】
インシュレータ３３は、天井板３３ａと、ソケットコネクタ３０の後端側に天井板３３ａと一体に設けられた底板３３ｂとを備えている。天井板３３ａと底板３３ｂとの間に、第１のソケットコンタクト３５が植設されている。
【手続補正３】
【補正対象書類名】明細書
【補正対象項目名】００１０
【補正方法】変更
【補正の内容】
【００１０】
シェル３４において、底板３４ｂは、前端部が折り返されて２重になった折り返し部３４ｉと、後に詳しく説明するグランドプレート３６の接触部３６ｆに対応して切り欠かれた切り欠き部３４ｇとを備えている。折り返し部３４ｉは、ソケットコネクタの相手側コネクタであるプラグコネクタ嵌合部を誘い、且つ、この部分での強度が高められている。シェル３４の切り欠き部３４ｇは、後に述べるグランドプレート３６の接触部３６ｆ先端の保護をしている。
【手続補正４】
【補正対象書類名】明細書
【補正対象項目名】００１１
【補正方法】変更
【補正の内容】
【００１１】
図６に最も良く示されるように、シグナルコンタクトである第１のソケットコンタクト３５は、バネ弾性を備え、また、インピーダンスマッチングに対応した細長い板形状を有する。第１のソケットコンタクト３５は、一端がプラグコネクタ嵌合部に収容され相手側コンタクトに接触するためにくの字状に屈曲して形成された接触部３５ｃと、接触部３５ｃからコネクタの後方に延在するとともにインシュレータ３３に固定されて支持される支持部３５ｂと、支持部３５ｂからソケットコネクタ３０の後方外部に第１の方向に沿って延在して折曲して、第１及び第２の方向に直交する第３の方向である下方に延び、さらに水平方向である第１の方向に折曲って水平に延在してプリント配線基板に半田付するための半田付端子部３５ａを形成している。この様に、第１のソケットコンタクト３５は、板状にシンプルな構造を有し、したがって、容易にインピーダンスマッチングさせることができる。
【手続補正５】
【補正対象書類名】明細書
【補正対象項目名】００３０
【補正方法】変更
【補正の内容】
【００３０】
１．複数のコンタクトと、前記複数のコンタクトを保持するハウジングと、前記複数のコンタクト及び前記ハウジングを被覆するシェルとを備えるコネクタにおいて、前記ハウジングは、嵌合部を有し、前記複数のコンタクトは、前記嵌合部内の一方の列に配設されている複数の信号コンタクトと、前記複数の信号コンタクトとそれぞれ対向配置されている複数のグランドコンタクトとから構成され、前記シェルは、相手側コネクタとの嵌合側において、外側から前記嵌合部内に向けて折り曲げられている曲げ部を有し、前記曲げ部から前記嵌合部内で前記嵌合部の奥側に向けて延設されている部分に保護部が形成され、前記グランドコンタクトの先端部が前記保護部に入り込むコネクタ。
【手続補正６】
【補正対象書類名】明細書
【補正対象項目名】００３１
【補正方法】変更
【補正の内容】
【００３１】
２．前記保護部は、前記嵌合部内から前記外側に向けて、かつ、前記嵌合部の奥側から前記相手側コネクタに向けて傾斜するように構成されている前記１記載のコネクタ。
【手続補正７】
【補正対象書類名】図面
【補正対象項目名】図６
【補正方法】変更
【補正の内容】
【図６】
2007157534.tif 000013
【手続補正書】
【提出日】平成18年8月23日(2006.8.23)
【手続補正１】
【補正対象書類名】特許請求の範囲
【補正対象項目名】全文
【補正方法】変更
【補正の内容】
【特許請求の範囲】
【請求項１】
複数のコンタクトと、前記複数のコンタクトを保持するハウジングと、前記複数のコンタクト及び前記ハウジングを被覆するシェルとを備えるコネクタにおいて、
前記ハウジングは、嵌合部を有し、
前記複数のコンタクトは、前記嵌合部内の一方の列に配設されている複数の信号コンタクトと、前記複数の信号コンタクトとそれぞれ対向配置されている複数のグランドコンタクトとから構成され、
前記シェルは、相手側コネクタとの嵌合側において、外側から前記嵌合部内に向けて折り曲げられている曲げ部を有し、前記曲げ部から前記嵌合部内で前記嵌合部の奥側に向けて延設されている部分に保護部が形成され、
前記保護部は、前記嵌合部内から前記外側に向けて、かつ、前記嵌合部の奥側から前記相手側コネクタに向けて傾斜するように構成され、
前記グランドコンタクトの先端部が前記保護部の傾斜部分に入り込むことを特徴とするコネクタ。
【手続補正２】
【補正対象書類名】明細書
【補正対象項目名】００３０
【補正方法】変更
【補正の内容】
【００３０】
複数のコンタクトと、前記複数のコンタクトを保持するハウジングと、前記複数のコンタクト及び前記ハウジングを被覆するシェルとを備えるコネクタにおいて、前記ハウジングは、嵌合部を有し、前記複数のコンタクトは、前記嵌合部内の一方の列に配設されている複数の信号コンタクトと、前記複数の信号コンタクトとそれぞれ対向配置されている複数のグランドコンタクトとから構成され、前記シェルは、相手側コネクタとの嵌合側において、外側から前記嵌合部内に向けて折り曲げられている曲げ部を有し、前記曲げ部から前記嵌合部内で前記嵌合部の奥側に向けて延設されている部分に保護部が形成され、前記保護部は、前記嵌合部内から前記外側に向けて、かつ、前記嵌合部の奥側から前記相手側コネクタに向けて傾斜するように構成され、前記グランドコンタクトの先端部が前記保護部の傾斜部分に入り込むコネクタ。
【手続補正３】
【補正対象書類名】明細書
【補正対象項目名】００３１
【補正方法】削除
【補正の内容】